(57)【要約】【課題】  衛星放送の契約者が必要とする製品情報を再生可能な再生方法及び再生装置を提供する。【解決手段】  受信装置１は、衛星放送の契約者情報１２と契約者が使用可能な製品の製品情報１０とを放送衛星２を介して受信する受信部２０と、受信部２０で受信された製品情報を再生する再生部とを備えている。このため、受信部２０で受信した契約者情報１２と、製品情報１０とを用いることで、例えば契約者のうち製品のユーザに対して、製品情報を再生することができる。従って、製品情報１０を必要とする衛星放送の契約者に、必要とする製品情報１０を提供することができる。【選択図】  図３
2006050423.tif 000002
【特許請求の範囲】
【請求項１】
（ａ）衛星放送の契約者情報と、前記契約者が使用可能な製品の情報とを放送衛星を介して送信装置で送信し、
（ｂ）前記送信装置で送信された契約者情報及び前記送信装置で送信された製品情報を受信部で受信し、
（ｃ）前記受信部で受信された製品情報を再生する
ステップを具備することを特徴とする再生方法。
【請求項２】
請求項１に記載の再生方法であって、
ステップ（ｂ）とステップ（ｃ）との間に、
（ｄ）前記受信部を有する受信装置は、当該受信部を特定可能な契約者情報と、該契約者が使用可能な製品情報のうちのユーザ情報とを生成し、
（ｅ）前記受信された契約者情報と前記生成された契約者情報とが一致するか否かを判断し、
（ｆ）前記受信されたユーザ情報と前記生成されたユーザ情報とが一致するか否かを判断する
ステップを更に具備することを特徴とする再生方法。
【請求項３】
請求項１に記載の再生方法であって、
前記製品は自動車であり、
前記受信部は前記自動車に搭載又は持ち込まれている
ことを特徴とする再生方法。
【請求項４】
請求項１に記載の再生方法であって、
前記処置情報は前記製品の廃棄、更新、回収又は修理の情報を有することを特徴とする再生方法。
【請求項５】
請求項１に記載の再生方法であって、
ステップ（ｃ）の後に、
（ｇ）前記契約者でありかつ前記製品のユーザである対象ユーザのうち前記処置を施したユーザである処置済みユーザの情報を前記送信装置側に送信し、
（ｈ）前記送信装置は、前記対象ユーザ情報と前記処置済みユーザ情報とを用いて前記処置が未処置である未処置ユーザ情報を変更することで、前記製品情報を、前記処置済みユーザに送信することを停止する
ステップを更に具備することを特徴とする再生方法。
【請求項６】
請求項５に記載の再生方法であって、
ステップ（ｈ）の前に、前記送信装置は前記処置情報を送信し続けることを特徴とする再生方法。
【請求項７】
衛星放送の契約者情報と、前記契約者が使用可能な製品の情報とを放送衛星を介して受信する受信部と、
前記受信部で受信された前記製品情報を再生する再生部と
を具備することを特徴とする再生装置。
【請求項８】
前記製品情報は、
前記製品のユーザ情報と、
前記製品のユーザに提供される処置情報と
を有し、
前記再生部は、
当該再生装置を特定可能な契約者情報と、該契約者が使用可能な製品のユーザ情報とを生成可能な生成部と、
前記受信された契約者情報と前記生成された契約者情報とが一致するか否かを判断すると共に前記受信されたユーザ情報と前記生成されたユーザ情報とが一致するか否かを判断する判断部と
を具備することを特徴とする請求項７記載の再生装置。
【請求項９】
前記製品は自動車であり、
前記受信部は前記自動車に搭載又は持ち込まれている
ことを特徴とする請求項７記載の再生装置。
【請求項１０】
前記処置情報は前記製品の廃棄、更新、回収又は修理の情報を有することを特徴とする請求項７記載の再生装置。
【請求項１１】
前記契約者でありかつ前記製品のユーザである対象ユーザの情報と前記対象ユーザのうち前記処置を施した処置済みユーザの情報とを用いて前記処置が未処置である未処置ユーザの情報を変更することで、前記製品情報の前記処置済みユーザに対する送信が停止することを特徴とする請求項７記載の再生装置。
【請求項１２】
前記判断部はエンジンが始動時か否かを判断し肯定判断のときに前記処置情報を再生することを特徴とする請求項８記載の再生装置。
【請求項１３】
前記製品情報は緊急放送、リアルタイム放送、記憶再生放送及びこれらの放送を識別するための識別子を有し、
前記判断部は、前記識別子に基き前記緊急放送、前記リアルタイム放送及び前記記憶再生放送のうちいずれを放送すべきか判断し、放送すべき放送を再生することを特徴とする請求項８記載の再生装置。
【発明の詳細な説明】
【技術分野】
【０００１】
本発明は、放送衛星を利用した製品情報等を再生するための再生方法及び再生装置に関する。
【背景技術】
【０００２】
ＢＳ（Broadcasting Satellite）、ＣＳ（Communications Satellite）放送に加え地上デジタル音声放送が２００３年１０月に、地上デジタル放送が２００３年１２月に開始され、本格的なデジタル放送時代が到来しつつある。これらのデジタル放送は、衛星放送の契約者が視聴できるいわゆる限定受信方式を採用している。この方式では、個々の受信装置を特定して契約者か否かを判断するために、例えば、契約者ＩＤ（Identification）が管理されている。
【０００３】
ところで、従来、日常生活においては、自動車、家電製品、玩具などの安全性不足によるリコールや食料品の回収など製品に関する情報（以下製品情報）の告知広告が、テレビ、新聞などのマスメディアによりユーザに告知されることが多い。
【０００４】
特許文献１には、衛星などを利用して車両メーカのリコール情報を車両に提供する技術が開示されている。この技術により、リコールの対象車両を含む不特定多数の車両にリコール情報を配信している。この車両は、自己車両がリコール対象の車両か否かを判断するシステムと、この判断結果を表示可能な再生装置とを備えている。このシステムの提供者は、車両のリコール情報をユーザに提供するために、ユーザを管理するためのユーザＩＤや車台番号などの情報を管理している。このシステムの利用者は、この再生装置を利用して、リコール情報などを知ったり修理工場への来店日時の予約をしたりすることができる。
【特許文献１】特開２００３−１０１５５２号公報（段落[００２５]、[００３３]、[００３４]、図１）
【発明の開示】
【発明が解決しようとする課題】
【０００５】
しかしながら、上記特許文献１の技術では、例えば、衛星放送の契約者の情報と、車両のユーザ情報とが例えば同一のデータベース等で管理されている訳ではない。このため、衛星放送の契約者情報を利用して、衛星放送を視聴する人のうち製品情報を必要とする人に、必要な製品情報を提供することができない。
【０００６】
以上のような事情に鑑み、本発明の目的は、衛星放送の契約者が必要とする製品情報を再生可能な再生方法及び再生装置を提供することにある。
【課題を解決するための手段】
【０００７】
上記目的を達成するため、本発明に係る再生方法は、（ａ）衛星放送の契約者情報と、前記契約者が使用可能な製品の情報とを放送衛星を介して送信装置で送信し、（ｂ）前記送信装置で送信された契約者情報及び前記送信装置で送信された製品情報を受信部で受信し、（ｃ）前記受信部で受信された製品情報を再生するステップを具備することを特徴とする。
【０００８】
ここで、契約者が使用可能な製品とは、例えば、契約者がディーラ等で製品を購入するときに、予め製品のユーザＩＤ等が登録された製品をいう。また、衛星放送の契約者とは、例えば、放送の視聴を制限するためのＣＡＳ（Conditional Access System）の契約者のことをいう。
【０００９】
本発明では、ステップ（ａ）で受信部により受信した契約者情報と、契約者が使用可能な製品の情報とを用いることで、ステップ（ｃ）で、例えば契約者のうち製品のユーザに対して、製品情報を再生することができる。従って、製品情報を必要とする衛星放送の契約者に必要とする製品情報を提供することができる。
【００１０】
本発明の一の形態によれば、ステップ（ｂ）とステップ（ｃ）との間に、（ｄ）前記受信部を有する受信装置は、当該受信部を特定可能な契約者情報と、該契約者が使用可能な製品情報のうちのユーザ情報とを生成し、（ｅ）前記受信された契約者情報と前記生成された契約者情報とが一致するか否かを判断し、（ｆ）前記受信されたユーザ情報と前記生成されたユーザ情報とが一致するか否かを判断するステップを更に具備することを特徴とする。これにより、ステップ（ｅ）で、受信した契約者情報と生成された契約者情報とが一致するときに、該契約者が衛星放送を受信可能な契約者であると判断し、ステップ（ｆ）で、受信したユーザ情報と生成されたユーザ情報とが一致するときに、該契約者が製品の処置情報を必要とする契約者であると判断することができる。従って、製品の処置情報を必要とする者に、必要な処置情報を提供することができる。従って、処置情報を必要とするＣＡＳの契約者に、処置情報を提供することができる。
【００１１】
本発明の一の形態によれば、前記製品は自動車であり、前記受信部は前記自動車に搭載又は持ち込まれていることを特徴とする。これにより、例えば、停止中に加え移動中の自動車の中でも製品に関する必要な処置情報を受信部により受信することができる。
【００１２】
本発明の一の形態によれば、前記処置情報は前記製品の廃棄、更新、回収又は修理の情報を有することを特徴とする。これにより、例えば、製品の廃棄処置の情報を契約者が受信したときに、この情報に従って製品を廃棄することができる。
【００１３】
本発明の一の形態によれば、ステップ（ｃ）の後に、（ｇ）前記契約者でありかつ前記製品のユーザである対象ユーザのうち前記処置を施したユーザである処置済みユーザの情報を前記送信装置側に送信し、（ｈ）前記送信装置は、前記対象ユーザ情報と前記処置済みユーザ情報とを用いて前記処置が未処置である未処置ユーザ情報を変更することで、前記製品情報を、前記処置済みユーザに送信することを停止するステップを更に具備することを特徴とする。これにより、例えば対象ユーザ情報から処置済みユーザ情報を削除することで、未処置ユーザ情報を変更することができる。従って、ユーザが処置を施した後に、再び同じ処置情報を受信することを防止することができる。
【００１４】
本発明の一の形態によれば、ステップ（ｈ）の前に、前記送信装置は前記処置情報を送信し続けることを特徴とする。これにより、ユーザに製品に関する処置を督促することができる。
【００１５】
本発明に係る再生装置は、衛星放送の契約者情報と、前記契約者が使用可能な製品の情報とを放送衛星を介して受信する受信部と、前記受信部で受信された前記製品情報を再生する再生部とを具備することを特徴とする。
【００１６】
ここで、契約者が使用可能な製品とは、例えば、契約者がディーラ等で製品を購入するときに、予め製品のユーザＩＤ等が登録された製品をいう。また、衛星放送の契約者とは、例えば、放送の視聴を制限するためのＣＡＳ（Conditional Access System）の契約者のことをいう。
【００１７】
本発明では、受信部で受信した契約者情報と、契約者が使用可能な製品の情報とを用いることで、例えば契約者のうち製品のユーザに対して、製品情報を再生することができる。従って、例えば製品情報を必要とする衛星放送の契約者に必要とする製品情報を提供することができる。
【００１８】
本発明の一の形態によれば、前記製品情報は、前記製品のユーザ情報と、前記製品のユーザに提供される処置情報とを有し、前記再生部は、当該再生装置を特定可能な契約者情報と、該契約者が使用可能な製品のユーザ情報とを生成可能な生成部と、前記受信された契約者情報と前記生成された契約者情報とが一致するか否かを判断すると共に前記受信されたユーザ情報と前記生成されたユーザ情報とが一致するか否かを判断する判断部とを具備することを特徴とする。これにより、判断部により、受信部で受信した契約者情報と生成部で生成された契約者情報とが一致するときに該契約者が衛星放送を受信可能な契約者であると判断し、受信部で受信したユーザ情報と生成部で生成されたユーザ情報とが一致するときに該契約者が製品の処置情報を必要とする契約者であると判断することができる。例えば受信部を特定可能な契約者情報や該契約者が使用可能な製品情報のうちのユーザ情報を生成するために、ＣＡＳ（Conditional Access System）を用いることができる。従って、処置情報を必要とするＣＡＳ契約者に、処置情報を提供することができる。
【００１９】
本発明の一の形態によれば、前記受信部は前記自動車に搭載又は持ち込まれていることを特徴とする。これにより、例えば、停止中に加え移動中の自動車の中でも製品に関する必要な処置情報を受信することができる。
【００２０】
本発明の一の形態によれば、前記処置情報は前記製品の廃棄、更新、回収又は修理の情報を有することを特徴とする。これにより、例えば、製品の廃棄処置の情報を契約者が受信したときに、この情報に従って製品を廃棄することができる。
【００２１】
本発明の一の形態によれば、前記契約者でありかつ前記製品のユーザである対象ユーザの情報と前記対象ユーザのうち前記処置を施した処置済みユーザの情報とを用いて前記処置が未処置である未処置ユーザの情報を変更することで、前記製品情報の前記処置済みユーザに対する送信が停止することを特徴とする。これにより、例えば対象ユーザ情報から処置済みユーザ情報を削除することで、未処置ユーザ情報を変更することができる。従って、ユーザが処置を施した後に、再び同じ処置情報を受信することを防止することができる。
【００２２】
本発明の一の形態によれば、前記判断部はエンジンが始動時か否かを判断し肯定判断のときに前記処置情報を再生することを特徴とする。これにより、エンジン始動時に処置情報を再生させることができる。従って、ユーザはエンジンを始動する毎に処置情報を見ることになるので、より確実にユーザに処置情報を提供することができる。
【００２３】
本発明の一の形態によれば、前記製品情報は緊急放送、リアルタイム放送、記憶再生放送及びこれらの放送を識別するための識別子を有し、前記判断部は、前記識別子に基き前記緊急放送、前記リアルタイム放送及び前記記憶再生放送のうちいずれを放送すべきか判断し、放送すべき放送を再生することを特徴とする。これにより、例えばユーザが製品の処置情報を必要とする度合いとユーザ情報とのテーブルを用意することで、ユーザが製品の処置情報を必要とする度合いに応じて、処置情報をユーザに提供することができる。例えば、緊急放送を最優先してユーザに提供することができる。
【発明の効果】
【００２４】
以上のように、本発明では、製品情報を必要とする者に、必要な製品情報を提供することができる。
【発明を実施するための最良の形態】
【００２５】
以下、本発明に係る実施の形態を図面を参照して説明する。
【００２６】
図１は本発明の実施の形態の再生システムを示す概略構成図である。
【００２７】
本実施形態の再生システム５は、放送局の番組データ等を送信する送信装置１、送信装置１から送信された番組データ等を受信しデジタル衛星放送波を地上に送信する放送衛星２及び放送衛星２が送信したデジタル衛星放送波を受信する受信装置３を備えている。
【００２８】
デジタル衛星放送は、オフィス、家庭等など非移動型受信装置（端末）は勿論のこと、車載、携帯等の移動体受信装置（端末）に対してＳバンド衛星により全国同報で、音声、画像から成るマルチチャネルサービスを提供するものである。デジタル衛星放送では、例えば、有料放送の契約者に視聴を制限するためにＣＡＳ（Conditional Access System）システムが利用されている。本実施の形態は、このＣＡＳシステムのインフラを活用するものである。
【００２９】
図２は実施の形態に係る送信装置を示すブロック図である。
【００３０】
送信装置１は、符号化処理部１１、多重化処理部１３及び変調部１４などがインタフェース１１１、１１２、１１３、１１４、１１５などを介して接続されて構成されている。
【００３１】
符号化処理部１１は、例えばアナログ信号からなる製品情報１０をインタフェース１１１を介して受信しデジタル信号に変換しインタフェース１１２を介して多重化処理部１３に送信するために用いられている。
【００３２】
多重化処理部１３は、符号処理部１１でデジタル化された信号と、インタフェース１１３を介して受信した衛星放送の契約者情報１２とを多重化しインタフェース１１４を介して変調部１４に送信するために用いられている。
【００３３】
変調部１４は、多重化処理部１３で多重化された信号を変調して製品情報・契約者情報２１１とし、インタフェース１１５を介して図示を省略した送信部に送信するために用いられている。この送信部は、製品情報・契約者情報２１１を受信装置３に送信する機能を備えている。
【００３４】
図３は実施の形態に係る受信装置を示すブロック図である。本実施形態では、受信装置３が自動車に搭載又は持ち込まれている場合について説明する。
【００３５】
受信装置３は、復調部２１、多重分離部２２等で構成される受信部２０と、製品情報再生処理部２３、契約者情報再生処理部２４、マイクロプロッセッサ２５、リモートコントローラ（以下、リモコンと略称する。）２６、ＣＡＳ契約者・ユーザＩＤ生成部２７、補助記憶部２８、図示を省略したＲＡＭ（Random Access Memory）等で構成される再生部と、表示部２９と、インタフェース２１２、２１３、２１４、２１５、２１６、２１７、２１８、２１９、２２０とを備えている。
【００３６】
復調部２１は、製品情報・契約者情報２１１を受信して復調しインタフェース２１２を介して多重分離部２２に送信するために用いられている。
【００３７】
多重分離部２２は、製品情報・契約者情報２１１を製品情報１０と契約者情報１２とに分離しインタフェース２１３を介してそれぞれ製品情報再生処理部２３、契約者情報再生処理部２４に送信するために用いられている。
【００３８】
製品情報再生処理部２３及び契約者情報再生処理部２４は、インタフェース２１５を介してマイクロプロセッサ２５の命令を受け取りそれぞれ製品情報１０、契約者情報１２を表示部２９において表示可能にデコード（再生）したりするために用いられている。
【００３９】
マイクロプロッセッサ２５は、さらにリモコン２６、ＣＡＳ契約者・ユーザＩＤ生成部２７及び補助記憶部２８に接続され、図６に示す受信放送プログラム及び図８に示すユーザＩＤ変更プログラムを実行するために用いられる。
【００４０】
リモコン２６は、インタフェース２１７を介してマイクロプロセッサ２５に接続されており、番組を選択したりするために利用される。
【００４１】
ＣＡＳ契約者・ユーザＩＤ生成部２７は、ＣＡＳ契約者に提供されるＣＡＳカード等を用いることで、衛星放送の契約者情報１２及びこの契約者が購入した自動車などの製品情報１０（ユーザＩＤ等）を生成することができるように設定されている。製品情報１０は、例えば契約者がディーラ等で製品を購入するときに登録されたものである。例えば、ディーラ等で登録された製品のユーザＩＤ等の情報は、例えばインターネットを介して放送会社側に提供される。これにより、例えば放送会社でも製品のユーザＩＤ等の情報を管理することができるようになっている。
【００４２】
補助記憶部２８は、インタフェース２１４、２１６及び２１９を介してそれぞれ製品情報再生処理部２３、契約者情報再生処理部２４及びマイクロプロセッサ２５に接続されており、デコード前の製品情報再生処理部２３及びデコード前の契約者情報再生処理部２４を一端記憶したりするために用いられる。
【００４３】
表示部２９は、図６に示す受信プログラム及び図８に示すユーザＩＤ変更プログラムの実行結果などの番組を表示するために用いられる。
【００４４】
ＲＡＭは、受信放送プログラムやユーザＩＤ変更プログラムを実行するときのワークエリアとして利用される。
【００４５】
図４は実施の形態の受信装置により生成される製品情報のフォーマットの一例を示す図、図５は図４に示す製品情報の詳細を示す図である。
【００４６】
製品情報１０の基本フォーマット３１には、製品情報の詳細に加えて、番組番号、番組の放送開始日時、番組の放送終了日時、番組の再生条件フラグ３２の情報が含まれている。
【００４７】
番組番号は、例えば、番組がどの自動車メーカの番組かを識別するために使用される。自動車のユーザが必要とする番組を視聴できるように、各自動車メーカ毎に番組（チャンネル）が準備されている。
【００４８】
番組の放送開始日時及び放送終了日時の情報は、例えば、番組の放送時間を決定したり、番組の再生時間を判断したりするために用いられている。番組番号、番組の放送開始日時、放送終了日時の情報は、各情報を補助記憶部内のどこに記憶するかを決定するために利用されたりする。例えば、番組を日付順に並べるとき等に使用されたりする。
【００４９】
再生条件フラグ３２は、製品のユーザが処置情報を必要とする度合いを示す識別子であり、このフラグに応じて異なる製品の処置情報が表示部２９に表示される。例えば、再生条件フラグ３２が０、１、２、３の４つの位置にフラグを備える場合には、０の位置のフラグが二進数の１であるときは番組が緊急放送であることを示し、同様に１、２又は３の位置のフラグが二進数の１であるときは番組がリアルタイム放送、繰り返し放送１又は繰り返し放送２であることを示す。例えば、２の位置のフラグが１、３の位置のフラグが０のときは１０分間間隔で繰り返し放送１が放送され、２の位置のフラグが０、３の位置のフラグが１のときは２０分間間隔で繰り返し放送２が放送され、２及び３の位置のフラグが共に１のときは１時間間隔で繰り返し放送１が表示部２９に表示されるように設定されている。なお、繰り返し放送１及び繰り返し放送２は、同じ放送内容に設定されていてもよいし異なる放送内容に設定されていてもよい。
【００５０】
リアルタイム放送は、放送局がリアルタイムで放送している放送を意味している。繰り返し放送１、２は、例えば、インタフェース２１４を介して補助記憶部２６に一旦記憶された放送である。
【００５１】
緊急放送には、製品のユーザに提供される処置情報が含まれており、全ての放送に優先して表示部２９に表示される。自動車のユーザに提供される処置情報には、例えば、リコール情報である廃棄、更新、回収、修理などのテキスト情報や写真など情報が含まれている。
【００５２】
図５に示す製品情報の詳細には、例えば、メーカ名、車種名、年式、製造番号、処置区分、ユーザＩＤ及び処置の理由などの項目が設けられている。図５は、メーカ名がＭ社、車種名がＭトラック、年式が２００２年、製造番号がＭ００１、処置区分がリコール、ユーザＩＤがＪＨ０３及び処置の理由がＸＸＸの情報と、メーカ名がＭ社、車種名がＭ乗用車、年式が２００１年、製造番号がＭ００２、処置区分が点検、ユーザＩＤがＰ０１９ＮＨ及び処置の理由がＹＹＹの情報を含んでいる例である。なお、他メーカの製品情報も同様に管理されている。また、本実施形態では、番組情報がＭ社専用である例を示したが、例えば、番組情報が複数のメーカ用であるようにしてもよい。すなわち、番組情報にＭ社やＮ社のメーカの情報が含まれるようにしてもよい。
【００５３】
次に、本実施の形態の動作を図面を参照しながら説明する。
【００５４】
図２に示すように、放送局が放送を開始すると、例えばアナログ信号でなる製品情報１０がインタフェース１１１を介して符号化処理部１１に送信される。符号化処理部１１は、製品情報１０をデジタル信号に変換する。デジタル信号に変換された製品情報１０は、インタフェース１１２を介して多重化処理部１３に送信され、契約者情報１２がインタフェース１１３を介して多重化処理部１３に送信される。多重化処理部１３で多重化された製品情報１０と契約者情報１２とは、インタフェース１１４を介して変調部１４に送信され、変調部１４で変調される。変調部１４で変調された製品情報・契約者情報信号２１１は、インタフェース１１５を介して図示を省略した送信部に送信される。送信部は製品情報・契約者情報信号２１１を図３に示す受信装置３に送信する。
【００５５】
図３に示すように、受信装置３の電源が投入されると、復調部２１は、製品情報・契約者情報信号２１１を復調する。復調された製品情報・契約者情報信号２１１は、多重分離部２２に送信される。多重分離部２２は、復調された製品情報・契約者情報信号２１１を、製品情報１０と契約者情報１２とに分離する。分離された製品情報１０と契約者情報１２とは、それぞれ製品情報再生処理部２３、契約者情報再生処理部２４に送信される。これにより、送信装置１が送信した各情報が受信部２０により受信される。受信部２０が製品情報１０と契約者情報１２とを受信すると、マイクロプロセッサ２５は、図６に示す受信放送プログラムを実行する。
【００５６】
図６は実施の形態の受信放送プログラムのフローチャートを示す図である。
【００５７】
ステップＳ１では、マイクロプロッセッサ２５は、受信放送プログラムを用いて、製品情報再生処理部２３及び契約者情報再生処理部２４から、それぞれ製品情報１０、契約者情報１２をＲＡＭに読み出す。
【００５８】
ステップＳ２では、マイクロプロセッサ２５は、ステップＳ１で読み出した契約者情報１２と、ＣＡＳ契約者・ユーザＩＤ生成部２７で生成した契約者情報とを読み出し同じであるか否かを判断し、肯定判断のときには正規契約者であると判断しステップＳ３に進み、否定判断のときにはステップＳ１に戻る。これにより、衛星放送の正規契約者か否かが判断される。
【００５９】
ステップＳ３では、マイクロプロセッサ２５は、ステップＳ１で読み出した製品情報１２のうちの製品のユーザＩＤと、ステップＳ２でＣＡＳ契約者・ユーザＩＤ生成部２７により生成されたユーザＩＤとを読み出し同じであるか否かを判断し、肯定判断のときには製品のユーザであると判断しステップＳ４に進み、否定判断のときにはステップＳ１に戻る。これにより、衛星放送の契約者が製品のユーザであるか否かが判断される。
【００６０】
ステップＳ４では、マイクロプロセッサ２５は、製品情報１０の再生条件フラグ３２を読み出し、ステップＳ５において、０の位置のフラグが１（ＯＮ）か否かを判断し、肯定判断のときはステップＳ６で緊急放送を再生し、否定判断のときはステップＳ７に進む。これにより、緊急放送が優先して放送される。
【００６１】
ステップＳ７では、マイクロプロセッサ２５は、１の位置のフラグが１（ＯＮ）か否かを判断し、肯定判断のときはステップＳ８でリアルタイム放送を再生し、否定判断のときはステップＳ９に進む。
【００６２】
ステップＳ９では、マイクロプロセッサ２５は、例えば、２及び３の位置のフラグが共に１（ＯＮ）か否かを判断し、肯定判断のときはステップＳ１０で補助記憶部２８に記憶されていた情報を表示部２９に表示させて繰り返し放送１を再生し、否定判断のときはステップＳ１１に進む。
【００６３】
ステップ１１では、マイクロプロセッサ２５は、例えば（詳述はしないが）ステップＳ６、Ｓ８、Ｓ１０の放送が終了したことを示す終了フラグが１（ＯＮ）か否かを判断することで、否定判断のときには放送が終了していないのでステップＳ４に戻りステップＳ４で再生条件フラグ３２を読み出し、再生条件フラグ３２に応じて各放送を表示部２９に表示させ続け、肯定判断のときには放送の受信を終了する。
【００６４】
以上のように、本実施形態では、受信装置１は、衛星放送の契約者情報１２と、契約者が使用可能な製品の製品情報１０とを放送衛星２を介して受信する受信部２０と、受信部２０で受信された製品情報を再生する再生部とを備えている。このため、受信部２０で受信した契約者情報１２と、製品情報１０とを用いることで、例えばＣＡＳ契約者のうち製品のユーザに対して、製品情報を再生することができる。従って、製品情報１０を必要とする衛星放送ＣＡＳ系の契約者に、必要とする製品情報１０を提供することができる。
【００６５】
本実施形態では、マイクロプロセッサ２５が、契約者情報再生処理部２４で受信した契約者情報１２とＣＡＳ契約者・ユーザＩＤ生成部２７で生成した契約者情報とが一致するときに該契約者が正規契約者であると判断し（Ｓ２）、製品情報再生処理部２３で受信したユーザＩＤとＣＡＳ契約者・ユーザＩＤ生成部２７で生成したユーザＩＤとが一致するときに該正規契約者が製品の処置情報を必要とするユーザであると判断する（Ｓ３）ことができる。従って、製品の処置情報を必要とする衛星放送ＣＡＳ系の契約者に、必要な処置情報を提供することができる。また、製品の処置情報を必要とする衛星放送ＣＡＳ系の契約者にのみピンポイントで情報を提供することができるので、不要な情報が不要な人の目に触れることもない。このように、リコール告知システムとして用いることができる。
【００６６】
本実施形態では、受信装置３は自動車に搭載又は持ち込まれている。これにより、例えば、停止中に加え移動中の自動車の中でも製品に関する必要な処置情報を受信することができる。
【００６７】
本実施形態では、自動車に提供される処置情報には、リコール情報である廃棄、更新、回収、修理などのテキスト情報や写真など情報が含まれている。これにより、例えば、製品の廃棄処置の情報を契約者が受信したときに、この情報に従って製品を廃棄することができる。
【００６８】
本実施形態では、製品情報１０には、ユーザが製品の処置情報を必要とする度合いに対応する再生条件フラグ３２が含まれている。マイクロプロセッサ２５は、再生条件フラグ３２に基き緊急放送、リアルタイム放送及び記憶再生放送のうち放送すべき放送がいずれかを判断し（Ｓ５、Ｓ７、Ｓ９）、放送すべき放送を表示部２９に表示させることができる（Ｓ６、Ｓ８、Ｓ１０）。このため、ユーザが製品の処置情報を必要とする度合いに応じて、処置情報をユーザに提供することができる。従って、例えばリアルタイム放送を放送中であっても緊急放送を最優先して放送することができる。
【００６９】
次に本実施形態の変形例について図面を参照しながら説明する。
【００７０】
図７は変形例のユーザＩＤを更新する方法の一例を示す図、図８は図7に示す方法で使用される未処置ユーザＩＤ更新プログラムのフローチャートである。
【００７１】
本変形例では、放送局側の送信装置１は、処置を施していないユーザであることを示す未処置ユーザＩＤ６２を更新するための未処置ユーザＩＤ更新プログラムをさらに備えている。ユーザ６３及びディーラ６４の入出力装置は、インターネット６５を介して送信装置１に接続されており、処置後に、ユーザが処置を施したこと示す処置済みユーザＩＤ６６を送信装置１に送信可能となるように構成されている。
【００７２】
ユーザ６３は自ら又はディーラ６４で処置を施した後に、ユーザ６３の入出力装置又はディーラ６４の入出力装置からインターネット６５を介して処置済みユーザＩＤ６６を送信装置１に送信する。送信装置１は、図８に示す未処置ユーザＩＤ更新プログラムを実行する。
【００７３】
図８に示すように、送信装置１のマイクロプロセッサは、未処置ユーザＩＤ更新プログラムを用いて、ステップＳ２１でユーザＩＤ６１を読み出し、ステップＳ２２で処置済みユーザＩＤ６６を読み出す。
【００７４】
ステップＳ２３では、送信装置１のマイクロプロセッサは、ユーザＩＤ６１と処置済みユーザＩＤ６６とが同一か否かを判断し、否定判断のときにはステップＳ２１に戻り、肯定判断のときには同一と判断されたユーザＩＤをステップＳ２４で未処置ユーザＩＤ６２中から削除する。これにより、未処置ユーザＩＤを更新する。
【００７５】
ステップＳ２５では、送信装置のマイクロプロセッサは、ステップＳ２４で更新された未処理ユーザＩＤ６２を記憶し未処置ユーザＩＤ更新プログラムを終了する。
【００７６】
本変形例では、処置済みユーザＩＤをインターネット６６を介して更新し（Ｓ２４）、製品のユーザ情報及び処置情報を、処置を施したユーザに送信することを停止することができる。従って、契約者が処置を施した後に、再び同じ処置情報を受信することを防止することができる。
【００７７】
本実施形態では、エンジン始動時に処置情報を表示部２９に表示させることができる（Ｓ６、Ｓ８、Ｓ１０）。従って、ユーザはエンジンを始動する毎に処置情報を見ることになるので、より確実にユーザに処置情報を提供することができる。ここで、エンジンの始動時か否かの判断は、例えば、スタータに流れる電流を測定し測定値が所定値（例えば、０．１Ａ）以上か否かを判断し、肯定判断のときにエンジン始動時と判断するようにすればよい。
【００７８】
本実施形態では、送信装置１は、処置情報に基いてユーザが処置を施したこと示す信号を受信する前に、処置情報を送信し続ける。これにより、ユーザに製品に関する処置を督促することができる。
【００７９】
本発明は以上説明した実施の形態などには限定されるものではなく、種々の変形が可能である。
【００８０】
上記実施形態及び変形例では、製品として自動車を例示した。しかし、製品は自動車に限定されず、例えば、家電製品、食料品、玩具などにも適用することができる。
【００８１】
上記実施形態及び変形例では、受信装置１の表示部２９で製品の処置情報を表示する例を示した。しかし、カーナビゲーションの表示部を用いて処置情報を表示するようにしてもよい。
【００８２】
上記実施形態及び変形例では、衛星放送の契約者がディーラで自動車を購入するときに製品のユーザＩＤ等を登録する例を示した。しかし、受信装置３を購入するときに、受信契約者が既に使用している自動車についての情報を登録するようにしてもよい。この登録は、例えば受信装置３の購入者によってインターネットを介して送信装置１側に情報を送信することにより行われる。これにより、衛星放送ＣＡＳ系の契約者情報と自動車のユーザＩＤとを関連付けて管理することができるようになり、上述したように、製品情報を必要とする契約者に必要なリコール情報等を告知することができる。
【００８３】
上記実施形態及び変形例では、例えば製品のリコール情報を提供するために衛星放送の契約者情報を用いる例を示した。しかし、衛星放送の契約者情報を用いずに、例えば製品のリコール情報を提供するサービスと、ＣＡＳとを利用して、リコール情報を必要とする者に情報を提供するようにしてもよい。具体的には、このサービスによるリコール情報を提供すべき製品のユーザＩＤと、受信装置のＣＡＳ契約者・ユーザＩＤ生成部で生成したユーザＩＤとが一致したときに、受信装置により情報を再生するようにすればよい。このようにしても、リコール情報を必要とする者にピンポイント的に必要な情報を提供することができる。
【図面の簡単な説明】
【００８４】
【図１】本発明の実施の形態の再生システムを示す概略構成図である。
【図２】実施の形態に係る送信装置を示すブロック図である。
【図３】実施の形態に係る受信装置を示すブロック図である。
【図４】実施の形態の受信装置により生成される製品情報のフォーマットの一例を示す図である。
【図５】図４に示す製品情報の詳細を示す図である。
【図６】実施の形態の受信プログラムのフローチャートを示す図である。
【図７】変形例のユーザＩＤを更新する方法の一例を示す図である。
【図８】図7に示す方法で使用される未処置ユーザＩＤ更新プログラムのフローチャートである。
【符号の説明】
【００８５】
１…送信装置
２…放送衛星
３…受信装置
１０…製品情報
１２…契約者情報
２０…受信部
２５…マイクロプロセッサ
２７…ＣＡＳ契約者・ユーザＩＤ生成部
２９…表示部
【図１】
2006050423.tif 000003
【図２】
2006050423.tif 000004
【図３】
2006050423.tif 000005
【図４】
2006050423.tif 000006
【図５】
2006050423.tif 000007
【図６】
2006050423.tif 000008
【図７】
2006050423.tif 000009
【図８】
2006050423.tif 000010